(57)【特許請求の範囲】
【請求項１】
押圧力により下方に変位して可動接点と固定接点とを接触させ、押圧力の解除によって上方に変位して各接点の接触を解除する可動部を有するスイッチ本体と、押下操作に応じて前記可動部の上面を押圧するボタン部と、一端部がボタン部に連結されると共に、他端部が上下方向に沿う支持面に回動可能に取り付けられて、押下操作を受けていない状態のボタン部を可動部から離した状態で支持する支持腕とを具備し、
前記支持腕の前記ボタン部に連結されていない側の端部は、前記可動部の上面の移動範囲に対して横もしくは斜め下に位置合わせされて前記支持面に取り付けられ、
前記ボタン部の底面は、押下操作を受けていないとき、および前記押下操作を受けて当該底面が前記可動部の上面に接触したときに傾斜面になると共に、前記可動部を可動接点と固定接点とを接触させる位置まで押圧したときの前記底面がほぼ水平な状態となるように、当該底面の傾斜角度が設定されて成る、押ボタンスイッチ。
【請求項２】
前記他端部の取り付け位置は、前記可動接点と前記固定接点との接触時における前記可動部の上面よりも下方である、請求項１に記載された押ボタンスイッチ。
【請求項３】
前記ボタン部の底面の傾斜角度は、可動接点と固定接点とを接触させる位置まで下がった可動部の上面の中心点と前記支持腕の回転の軸となる位置とを結ぶ直線と、押下操作を受けていない状態のボタン部の底面の中心点と前記支持腕の回転の軸となる位置とを結ぶ直線とがなす角度θに対して所定の誤差の範囲内の角度になるように設定される、請求項１または２に記載された押ボタンスイッチ。
【請求項４】
前記角度θに対する誤差の範囲は、θ−３度からθ＋３度までの範囲に設定される、請求項３に記載された押ボタンスイッチ。
【請求項５】
押圧力により下方に変位して可動接点と固定接点とを接触させ、押圧力の解除によって上方に変位して各接点の接触を解除する可動部を有するスイッチ本体と、押下操作に応じて前記可動部を押圧するボタン部と、一端部がボタン部に連結されると共に、他端部が上下方向に沿う支持面に回動可能に取り付けられて、押下操作を受けていない状態のボタン部を可動部から離した状態で支持する支持腕とを具備する押ボタンスイッチが、筐体内の前記支持面に前記スイッチ本体の上面および底面を除く一面および支持腕を取り付けると共に、前記ボタン部を筐体の表面に露出させた状態で配備され、
前記支持腕の前記ボタン部に連結されていない側の端部は、可動部の上面の移動範囲の横もしくは斜め下に位置合わせされて前記支持面に取り付けられ、
前記ボタン部の底面は、押下操作を受けていないとき、および前記押下操作を受けて当該底面が前記可動部の上面に接触したときに傾斜面になると共に、前記可動接点と固定接点とを接触させる位置まで下がったときの前記底面がほぼ水平な状態となるように、当該底面の傾斜角度が設定されて成る、電子機器。
【発明の詳細な説明】
【技術分野】
【０００１】
本発明は、押下操作に応じて動作する押ボタンスイッチおよびこのスイッチが導入された操作部を有する電子機器に関する。
【背景技術】
【０００２】
一般的な押ボタンスイッチとして、下端部に可動接点が設けられた可動部と、可動部を押圧するボタン部とを有するものがある。可動部は、回路基板上に設けられた固定接点の上に対向配備され、ボタン部は筐体の表面に露出する。ユーザの指によりボタン部が押下されると、ボタン部と可動部とは共に下方に変位して、可動接点と固定接点とが接触した状態となる。ボタン部から指が離れると、ボタン部および可動部は元の位置に戻り、各接点の接触状態が解除される（特許文献１を参照。）。
【０００３】
近年は、様々な小型の電子機器に適合する押ボタンスイッチが開発され、特許文献２に示されるように、幅狭の筐体の上部に複数の押ボタンスイッチが配備される場合もある。このような電子機器では、制御基板を起立状態で収容するので、図８に示すような構成の押ボタンスイッチが使用される場合がある。
【０００４】
この例の押ボタンスイッチＳＷ０は、上下方向に移動可能な可動部１０を有するスイッチ本体１と、押下操作に応じて可動部１０を押圧するボタン部２と、ボタン部２に一体に設けられる支持腕３とを具備する。スイッチ本体１の背面は起立配備された基板の一面（図中の背景部分）に固定され、支持腕３の先端部も、同じ基板面に回動可能に取り付けられる。
【０００５】
図８（１）に示すように、押下操作が行われていない状態のボタン部２は、可動部１０からやや離れた状態で支持される。ボタン部２が押下操作による押圧力を受けると、図８（２）に示すように、支持腕３の基板に取り付けられた先端部を軸として支持腕３およびボタン部２が回転し、ボタン部２は斜めに傾いた状態で可動部１０を押圧する。
【先行技術文献】
【特許文献】
【０００６】
【特許文献１】特開２００２−５６７３８号公報
【特許文献２】特開２００４−１０１４４６号公報
【発明の概要】
【発明が解決しようとする課題】
【０００７】
押ボタンスイッチを使用する場合には、ボタンを押下したユーザに、十分なクリック感（ボタンを押した手応え）を与えるのが望ましい。
図９は、押ボタンスイッチの押下操作に伴う可動部からの反力Ｆと可動部のストローク量Ｓとの関係を表す曲線（ＦＳ曲線）を示す。可動部が移動を開始した直後は反力が徐々に上昇するが、可動部が可変接点と固定接点とを接触させる高さ位置（以下、「オン点」という。）を通過する間（図中のＳ１−Ｓ２間）に反力が急激に低下する。その後の反力は、再び上昇に転じる。クリック感は、この反力の低下や増加の切り替わりによって生じるが、図８（２）の例のように可動部が斜めから押圧されると、この反力の変化の傾きが緩やかになって、クリック感が低下する。
【０００８】
図８の構成においてクリック感を向上するには、オン点を通過する可動部１０を、垂直方向に近い方向から押圧する必要がある。そのためには、ボタン部２の底面ができるだけ傾かないようにする必要がある。言い換えれば、できるだけ小さい回転角度で図８（２）に示したのと同じ高さ位置までボタン部２を移動させる必要がある。しかし、少さな回転角度で同等のストローク量を確保するには、支持腕３を長くする必要があるので、スイッチＳＷ０の設置に必要なスペースが広がってしまう。このため、操作部の大きさが限られる小型の電子機器への導入には支障が生じるおそれがある。
【０００９】
クリック感を確保する他の方法として、スイッチ専用の基板を筐体の上面の下に水平に配置して、特許文献１に記載されているような構成の押ボタンスイッチを導入する方法が考えられる。しかし、この方法では、２枚の基板が必要になる上に、基板間の電気接続などのための工数が増えるため、コスト高となる。
【００１０】
本発明は上記の問題に着目し、設置のためのスペースやコストの拡大を招くことなく、クリック感が向上した押ボタンスイッチを提供することを、課題とする。
【課題を解決するための手段】
【００１１】
本発明による押ボタンスイッチは、押圧力により下方に変位して可動接点と固定接点とを接触させ、押圧力の解除によって上方に変位して各接点の接触を解除する可変部を有するスイッチ本体と、押下操作に応じて可動部の上面を押圧するボタン部と、一端部がボタン部に連結されると共に、他端部が上下方向に沿う支持面に回動可能に取り付けられて、押下操作を受けていない状態のボタン部を可動部から離した状態で支持する支持腕とを具備する。支持腕のボタン部に連結されていない側の端部は、可動部の上面の移動範囲の横もしくは斜め下に位置合わせされて支持面に取り付けられる。またボタン部の底面は、押下操作を受けていない状態下で傾斜面になると共に、可動部を可動接点と固定接点とを接触させる位置まで押圧したときの底面がほぼ水平な状態となるように、当該底面の傾斜角度が設定される。
【００１２】
上記の構成によれば、押下操作前のボタン部は、その底面を傾斜させた状態で支持される。押下操作が行われると、ボタン部および支持腕は、支持腕のボタン部に連結されていない端部を軸に回転するので、ボタン部は可動部との隙間を徐々に縮めながら下降して可動部を押圧する。可動接点と固定接点とを接触させる高さ位置（オン点）付近にまで可動部が下がったときに、可動部を押圧するボタン部の底面はほぼ水平な状態となるので、オン点を通過する可動部を垂直方向に近い方向から押圧することが可能になる。よって、押下操作を行ったユーザに、十分なクリック感を体感させることが可能になる。
【００１３】
上記構成の押ボタンスイッチの一実施形態では、ボタン部の底面の傾斜角度は、可動接点と固定接点とを接触させる位置まで下がった可動部の上面の中心点（後述するＢ点）と支持腕の回転の軸となる位置とを結ぶ直線と、押下操作を受けていない状態のボタン部の底面の中心点と支持腕の回転の軸となる位置とを結ぶ直線とがなす角度θに対して所定の誤差の範囲内の角度φになるように設定される。より限定された実施形態では、上記の誤差の範囲をθ−３度からθ＋３度までの範囲に設定する。
これらの実施形態によれば、ボタン部および支持腕が角度θ回転したときのボタン部の底面の傾きの水平方向に対する差を微小なものにすることが可能になる。
【００１４】
上記構成の押ボタンスイッチは、筐体内の支持面（たとえば筐体内に起立配置された基板の一面や筐体の内壁面）にスイッチ本体の上面および下面を除く一面および支持腕のボタン部に連結されていない側の端部を取り付けて、前記ボタン部を筐体の表面に露出させた状態で配備することができる。この構成によれば、支持腕を長くしなくとも、オン点を通過する可動部に対して垂直に近い方向からの押圧力をかけることが可能になるから、設置スペースに余裕が少ない小型の電子機器にも操作性の良い押ボタンスイッチを配備することが可能になる。
【発明の効果】
【００１５】
本発明によれば、上下方向に沿う支持面に取り付けられるタイプの押ボタンスイッチについて、設置のためのスペースやコストを増やすことなく、クリック感を向上することが可能になる。
【図面の簡単な説明】
【００１６】
【図１】本発明が適用された押ボタンスイッチの構成を示す模式図である。
【図２】図１のＡ，Ｂ，Ｃの各点と角度θ，角度φとの関係を示す模式図である。
【図３】本発明を適用しないでクリック感を確保するための押ボタンスイッチの構成を示す模式図である。
【図４】本発明による押ボタンスイッチが導入された光電センサの外観を示す斜視図である。
【図５】上記の光電センサの側面図である。
【図６】押ボタンスイッチＳＷ１ａ，ＳＷ１ｂ，ＳＷ２，ＳＷ３の詳細な構成を示す斜視図である。
【図７】押ボタンスイッチＳＷ１ａ，ＳＷ１ａ，ＳＷ１ｂ，ＳＷ２，ＳＷ３のスイッチ本体とボタン部との関係を示す図である。
【図８】従来の押ボタンスイッチの構成を示す模式図である。
【図９】可動部の押圧により生じる反力Ｆとストローク量Ｓとの関係を表すグラフである。
【発明を実施するための形態】
【００１７】
図１は、本発明が適用された押ボタンスイッチの構成例を模式的に示す。
この実施例の押ボタンスイッチＳＷは、上部に突出する可動部１０を有するスイッチ本体１、可動部１０を押圧するためのボタン部２、ボタン部２を支持する支持腕３などにより構成される。スイッチ本体１の背面および支持腕３の一端部は、起立配備された制御基板の一面（図中の背景部分）に取り付けられる。
【００１８】
スイッチ本体１の内部には、固定接点（図示せず。）が配備され、可動部１０の下端部には可動接点（図示せず。）が配備される。可動部１０は、図示しない弾性部材などによって、スイッチ本体１内に上下動可能に支持されており、スイッチ本体１の上面が図中のＢ点の高さまで下がったときに、可動接点と固定接点とが接触した状態となる。
【００１９】
ボタン部２と支持腕３とは一体に形成される。ボタン部２は、立方体形状の本体の底部に鍔部２０が一体に設けられた形状のもので、その鍔部２０の一辺に支持腕３が連ねられる。鍔部２０はスイッチ本体１より十分に大きく、その厚みは、支持腕３に連結されている辺から対向側の辺に向かうにつれて徐々に小さくなる。この鍔部２０の厚みの変化によって、ボタン部２の底面２Ｍは、支持腕３に連結されている側から反対側に向う方向において斜め上に変位する傾斜面となる。
【００２０】
支持腕３は、スイッチ本体１の上面の移動範囲よりやや低い位置に、スイッチ本体１から所定距離離して回動可能に支持される。この支持腕３によって、ボタン部２は、鍔部２０の支持腕３の近傍部分（スイッチ本体より外側）の底面を可動部１０の上面の高さに合わせて、水平な姿勢で支持される。このときボタン部２と可動部１０との間には、ボタン部２の底面２Ｍの傾斜角度φに応じた隙間が形成される。ユーザの指によりボタン部２が押下されると、ボタン部２および支持腕３は支持腕３の取付位置を軸として回転し、上記の隙間が徐々に狭められて可動部１０が押圧される。
【００２１】
図中のＡ点は、押下操作を受けていないときのボタン部２の底面２Ｍの中心位置を示し、Ｂ点は、可動接点と固定接点とが接触したときの可動部１０の上面の中心位置（「オン点」に対応する。）を示す。また、Ｃ点は、支持腕３の回転軸の位置に相当する。
【００２２】
ボタン部２の底面２Ｍの傾斜角度φは、図中の角度θに近い角度に設定されている。
角度θは、Ａ点とＣ点とを結ぶ線分ＡＣと、Ｂ点とＣ点とを結ぶ線分ＢＣとがなす角度である。支持腕３がＣ点を軸に角度θ回転すると、支持腕３に連なるボタン部２も角度θ傾いた姿勢になると共に、Ａ点を含む底面２ＭがＢ点の高さ付近まで下がる。ボタン部２に押圧される可動部１０の上面も、同様にＢ点の高さ付近まで下がる。
【００２３】
押圧操作前のボタン部２の底面２Ｍの傾斜角度φがθに近い値に設定されていると、角度θ傾いたボタン部２の底面２Ｍは、ほぼ水平になり、真下の可動部１０を垂直に近い方向から押圧することが可能になる。よって、可動部１０からの反力の変化のカーブが急峻になり、押下操作を行ったユーザに十分なクリック感を与えることができる。
【００２４】
図２は、上記したボタン部２の底面２Ｍの中心点の位置を示すＡ点，可動部１０のオン点を示すＢ点，支持腕３の回転軸の位置を示すＣ点，および角度θ，φの関係を示す。またこの図では、線分ＡＣ，線分ＢＣと共に、ボタン部の底面２Ｍの傾きを極太線により示す。
【００２５】
また図２では、Ａ−Ｂ間の高さの差をｄ、Ａ−Ｃ間の高さの差をｈ、Ｃ点からスイッチ本体１の中心線までの距離をＩ、線分ＡＣの長さをＬ１、線分ＢＣの長さをＬ２とする。これらのパラメータにより、線分ＡＣおよび線分ＢＣが水平方向に対してなす角度θ１，θ２を、次の式により算出することができる。
【００２６】
【数１】
0005842527.tif 000002
【００２７】
さらに、上式により求めたθ１，θ２を用いて、θ＝θ１−θ２の演算を実行すれば、θを求めることができる。
したがって、スイッチの設計の際に、先にＡ，Ｂ，Ｃの各点の位置を定めると、これらの関係から角度θを算出することができる。さらに、角度θに対するボタン部２の底面２Ｍの傾斜角度φの角度差が所定の誤差範囲に収まるようにすれば、オン点の付近でも、クリック感を確保するのに必要と考えられる押圧方向から可動部１０を押圧することが可能になる。
【００２８】
なお、発明者らが実験により確認したところ、可動部１０への押圧の方向と垂直方向との間の角度差を±３度までの範囲にすれば、クリック感が損なわれないことが判明した。したがって、φ＝θ±３度までの範囲で角度φを決めるのが望ましいと思われる。
【００２９】
つぎに、ボタン部２の底面２Ｍを傾斜させたことによる利点を説明するために、図３に、ボタン部２の底面２Ｍを傾斜させずにクリック感を確保できるように設計されたスイッチＳＷ´を示す。なお、対比を容易にするために、スイッチＳＷ´の各構成にも、図１と同じ符号を付す。
【００３０】
押圧操作を受けていないときのボタン部２の底面２Ｍを水平にすると、押圧操作に応じて支持腕３と共に回転するにつれて、ボタン部２の底面２Ｍは傾斜した状態となる。先に述べた実験結果によれば、クリック感を確保するには、可動部１０に対する押圧方向の垂直方向に対する差を３度以内にする必要があるので、ボタン部２の底面２Ｍをオン点であるＢ点まで変位させるのに必要な回転角度θ（線分ＡＢと線分ＢＣとがなす角度）も３度程度までに収める必要がある。
【００３１】
しかし、ストローク量を変更することなく回転角度θを小さくするには、線分ＡＣや線分ＢＣを長くする必要があり、そのためには、Ｃ点をスイッチ本体１から大きく離さなければならないので、スイッチＳＷ´の設置に必要なスペースが拡大する。またスイッチＳＷ´の設置に割り当てられているスペースでは、角度θを３度程度にするという条件を満たす位置にＣ点を設定することができない場合には、クリック感を向上するのは困難になる。
【００３２】
これに対し、図１の構成例の押ボタンスイッチＳＷによれば、点Ａ，Ｂ，Ｃを先に定め、これらに適合するように角度θやボタン部２の底面２Ｍの傾斜角度φを決めることができる。よって、スイッチＳＷの設置スペースが限定されている場合でも、そのスペース内で可能な場所にＣ点を定めて、角度θやφを調整することによって対応することが可能になる。たとえば、設置スペースが小さいために図１の例よりＣ点をスイッチ本体１に近づける必要がある場合には、Ｃ点をより下方に設定して角度θを求め、さらにθの値に応じてボタン部２の底面２Ｍの傾斜角度φを定める。
したがって、図１に示す構成のスイッチＳＷであれば、小型機器にも容易に導入することが可能になる。
【００３３】
なお、図１の例では、支持腕３を取り付ける場所（Ｃ点）を、可動部１０の上面が移動する範囲に対して斜め下になる位置に設定しているが、これに限らず、可動部１０の上面の移動範囲の横にＣ点を設定してもよい。
【００３４】
また、図１の例では、図の背景部分を基板面とし、この基板面にスイッチ本体１の背面が固定されると共に、支持腕３がスイッチ本体１の側方に延びて、同じ基板面に取り付けられるとして説明したが、支持腕３の向きや取付位置はこの例に限定されるものではない。
【００３５】
たとえば、スイッチ本体１を薄型にすれば、支持腕３をスイッチ本体１の前面側に延ばした後に、スイッチ本体１の斜め下の位置まで導いて、基板に取り付けることができる。
以下、このような構成の押ボタンスイッチが配備された電子機器の一例を、説明する。
【００３６】
図４および図５は、本発明による押ボタンスイッチが導入された光電センサの外観を示す。
この光電センサは、幅狭の筐体２００の上面に表示部２０１および複数の押ボタンスイッチＳＷ１〜ＳＷ４が配備された構成のものである。上面は、通常はカバー２０４により覆われ、設定の際などには、カバー２０４を開放して各押ボタンスイッチＳＷ１〜ＳＷ４を操作できるようになっている。
【００３７】
また、この光電センサは、光ファイバを用いて投光および受光を行うタイプのもので、筐体２００の前面には、投光用および受光用の各光ファイバ（図示せず。）を挿入するための挿入口２０２，２０３が設けられる。また筐体２００の背面からは、接続用のケーブル２０５が引き出されている。
筐体２００の内部には、発光素子を含む投光部や受光素子を含む受光部（いずれも図示せず。）が設けられるほか、後記する基板６０が起立した姿勢で配備される。
【００３８】
表示部２０１には、７セグＬＥＤによる表示器２１０（数字やアルファベットを表示するもの）や表示灯２１１がそれぞれ複数設けられる。表示部２０１の前方には単独の押ボタンスイッチＳＷ４が配備され、表示部２０１の後方には３つの押ボタンスイッチＳＷ１，ＳＷ２，ＳＷ３が、配備されている。これらのうち、表示部２０１の直近に設けられた押ボタンスイッチＳＷ１には、２つのスイッチＳＷ１ａ，ＳＷ１ｂが含まれる。
【００３９】
この２個口タイプのスイッチＳＷ１ａ，ＳＷ１ｂと、その後方の２つのスイッチＳＷ２，ＳＷ３とに本発明が適用されている。図６および図７は、これらのスイッチＳＷ１ａ，ＳＷ１ｂ，ＳＷ２，ＳＷ３の詳細な構成を示す。
なお、図６，７では、各スイッチＳＷ１ａ，ＳＷ１ｂ，ＳＷ２，ＳＷ３を、図５とは反対側を正面にして表しているが、以下の説明でも、図６，７で前方に位置する面を前面とする。
【００４０】
この例では、スイッチＳＷ１ａ，ＳＷ１ｂ，ＳＷ２，ＳＷ３の各スイッチ本体を１１ａ，１１ｂ，１２，１３とし、各可動部を１０１ａ，１０１ｂ，１０２，１０３とする。各スイッチ本体１１ａ，１１ｂ，１２，１３は、起立配置された基板６０の一面に、所定の間隔を隔てて固定される。
【００４１】
スイッチＳＷ１ａ，ＳＷ１ｂのボタン部２１ａ，２１ｂは、１つの部材２１として一体化される。この部材２１の前面側の下端部には三つ又状の支持腕３１（各枝を支持腕３１ａ，３１ｂ，３１ｃとする。）が連結されている。支持腕３１ａはボタン部２１ａを支持し、支持腕３１ｂはボタン部２１ｂを支持し、支持腕３１ｃは各ボタン部２１ａ，２１ｂの連結部分（部材２１の中央部）を支持する。
【００４２】
他のスイッチＳＷ２，ＳＷ３のボタン部２２，２３にも、それぞれ前面の下端部に支持腕３２，３３が一体に設けられる。これらの支持腕３２，３３は右斜め下方向（筐体２００の前面側）に延びて、水平方向に沿って延びる基部５０に繋がる。部材２１に連結される三つ又の支持腕３１も、同様に基部５０に連なる。これにより各ボタン部２１ａ，２１ｂ，２２，２３および支持腕３１，３２，３３が連結されたボタンユニットが形成される。
【００４３】
基部５０には矩形状の孔部（図示せず。）が３個設けられ、これらの孔部に基板６０側に設けられた凸部材５１，５２，５３を嵌め込むことにより、各支持腕３１，３２，３３が基板６０に取り付けられる。
【００４４】
スイッチＳＷ１ａ，ＳＷ１ｂのボタン部２１ａ，２１ｂに連なる支持腕３１ａ，３１ｂは、これらの間の支持腕３１ｃの直下の凸部材５１を共通の支持手段として、回動可能に支持される。スイッチＳＷ２のボタン部２２に連なる支持腕３２は、凸部材５２により回動可能に支持され、スイッチＳＷ３の支持腕３３は、凸部材５３により回動可能に支持される。すなわち、各支持腕は、対応するスイッチ本体の可動部の移動範囲に対して斜め下になる位置に回動可能に支持されることになる。
【００４５】
図７では、各スイッチＳＷ１ａ，ＳＷ１ｂ，ＳＷ２，ＳＷ３のボタン部２１ａ，２１ｂ，２２，２３と、各スイッチ本体１１ａ，１１ｂ，１２，１３および可動体１０１ａ，１０１ｂ，１０２，１０３とに網点パターンを付すことにより、両者の関係を明示している。押下操作を受けていないときの各ボタン部２１ａ，２１ｂ，２２，２３は、対応する可動部１０１ａ，１０１ｂ，１０２，１０３との間に若干の隙間を確保した状態で支持される。また、各ボタン部２１ａ，２１ｂ，２２，２３の底面は、いずれも、対応する支持腕３１ａ，３１ｂ，３２，３３を止める凸部材５１，５２，５３に近い側から反対側に向かう方向において斜め上方に傾斜する。
【００４６】
スイッチＳＷ１ａ，ＳＷ１ｂ，ＳＷ２，ＳＷ３のボタン部２１ａ，２１ｂ，２２，２３のいずれかが押下されると、そのボタン部に連結されている支持腕の支持位置を軸として、支持腕およびボタン部が回転し、対応するスイッチ本体の可動部を押圧する。押圧された可動部がオン点まで下がると、可動接点と固定接点とが接触して両者が導通し、その導通による電気信号が図示しない制御回路に入力される。いずれのスイッチＳＷ１ａ，ＳＷ１ｂ，ＳＷ２，ＳＷ３においても、ボタン部２１ａ，２１ｂ，２２，２３の底面が対応する可動部１０１ａ，１０１ｂ，１０２，１０３をオン点付近まで押圧したときに、当該底面の傾きが水平方向に対して３度以内の角度差になるように、各底面の傾斜角度が設定されている。
【００４７】
具体的には、この実施例における各ボタン部２１ａ，２１ｂ，２２，２３の底面の傾斜角度は、１．５〜２．５度の範囲で設定されている。ただし、傾斜角度はこの範囲に限らず、スイッチの設置に用いられるスペースの広さなどによって変動する。
各ボタン部２１ａ，２１ｂ，２２，２３の傾斜角度を上記のように調整することにより、いずれのスイッチＳＷ１ａ，ＳＷ１ｂ，ＳＷ２，ＳＷ３でも、オン点を通過する可動部１０１ａ，１０１ｂ，１０２，１０３を垂直に近い方向から押圧することができ、押下操作を行うユーザに十分なクリック感を与えることが可能になる。
【００４８】
なお、設計によっては、支持腕を固定する凸部材を基板６０にではなく、スイッチ本体の前面または筐体の内壁面に設けることも可能である。また、スイッチ本体も同様に、筐体の内壁面など、基板以外の支持面に取り付けることも可能である。
また、筐体２００の前方に配備される押ボタンスイッチＳＷ４については、詳細な説明を省略するが、このスイッチＳＷ４にも、単独で、他のスイッチＳＷ１ａ，ＳＷ１ｂ，ＳＷ２，ＳＷ３と同様の構成を適用することができる。また、各スイッチＳＷ１ａ，ＳＷ１ｂ，ＳＷ２，ＳＷ３からの信号を受ける制御回路は、基板６０のスイッチが配備される範囲より前方または下方、もしくはスイッチとは反対側の面に搭載することができる。
【符号の説明】
【００４９】
ＳＷ，ＳＷ１ａ，ＳＷ１ｂ，ＳＷ２，ＳＷ３  押ボタンスイッチ
１，１１ａ，１１ｂ，１２，１３  スイッチ本体
２，２１ａ，２１ｂ，２２，２３  ボタン部
３，３１ａ，３１ｂ，３２，３３  支持腕
１０，１０１ａ，１０１ｂ，１０２，１０３  可動部
２Ｍ  ボタン部の底面
５１，５２，５３  固定部材
６０  基板
【図１】
0005842527.tif 000003
【図２】
0005842527.tif 000004
【図３】
0005842527.tif 000005
【図４】
0005842527.tif 000006
【図５】
0005842527.tif 000007
【図６】
0005842527.tif 000008
【図７】
0005842527.tif 000009
【図８】
0005842527.tif 000010
【図９】
0005842527.tif 000011